(57)【要約】【課題】汎用性のある連鎖型端子を提供する。【解決手段】連鎖型端子１２は、基部２０に連成されるピン状の端子２１を、基部２０の長手方向に所定ピッチで複数個並べて直線状の連鎖型端子を形成した後、この直線状の連鎖型端子の所望の位置を折り曲げて折り返し部１４を形成する。折り返し部１４を形成すると、この折り返し部１４の両端に第一端子列１５と第二端子列１６とが連続する。折り返し部１４は、圧延を施して基部２０長手方向にのびた圧延部分１７を形成してから折り曲げて形成される。圧延部分１７を形成する折り返し部１４によって、様々なコネクタハウジングに対応可能となる。【選択図】図１
2009043630.tif 000002
【特許請求の範囲】
【請求項１】
基部に連成されるピン状又はタブ状の端子を前記基部の長手方向に所定ピッチで複数個並べて直線状の連鎖型端子を形成した後、該直線状の連鎖型端子の所望の位置を折り曲げて折り返し部を形成してなり、該折り返し部を形成することでこの両端に第一端子列と第二端子列とが連続する連鎖型端子において、
前記折り返し部は、圧延を施して前記長手方向にのびた圧延部分を形成してから折り曲げて形成される
ことを特徴とする連鎖型端子。
【請求項２】
請求項１に記載の連鎖型端子において、
前記折り返し部は、この基部の幅を狭める折り返し用の切り欠き部を有する
ことを特徴とする連鎖型端子。
【請求項３】
請求項２に記載の連鎖型端子において、
前記切り欠き部は、この一部に端子抜け止め部分を有する
ことを特徴とする連鎖型端子。
【発明の詳細な説明】
【技術分野】
【０００１】
本発明は、折り返し部の両端に第一端子列と第二端子列とが連続する連鎖型端子に関する。
【背景技術】
【０００２】
折り返し部の両端に第一端子列と第二端子列とが連続する連鎖型端子に関しては、下記特許文献１に開示された技術が知られている。
【０００３】
図５（ａ）において、引用符号１は直線状に形成された連鎖型端子を示している。この直線状に形成された連鎖型端子１は、図５（ｂ）に示す如く所望の位置で折り曲げられて折り返し部２を形成すると、この折り返し部２の両端に第一端子列３と第二端子列４とが連続する連鎖型端子５が形成されるようになっている。タブ状の端子６は、基部７の長手方向に所定ピッチで複数個並ぶように形成されている。
【特許文献１】特開２００６−１７２８９９号公報
【発明の開示】
【発明が解決しようとする課題】
【０００４】
ところで、上記従来技術にあっては、端子６のピッチが不変であることから、折り返し部２の寸法Ｈが端子６のピッチにより決まってしまうという問題点を有している。従って、様々なコネクタハウジングに装着することができないという問題点を有している。
【０００５】
本発明は、上述した事情に鑑みてなされたもので、汎用性のある連鎖型端子を提供することを課題とする。
【課題を解決するための手段】
【０００６】
上記課題を解決するためになされた請求項１記載の本発明の連鎖型端子は、基部に連成されるピン状又はタブ状の端子を前記基部の長手方向に所定ピッチで複数個並べて直線状の連鎖型端子を形成した後、該直線状の連鎖型端子の所望の位置を折り曲げて折り返し部を形成してなり、該折り返し部を形成することでこの両端に第一端子列と第二端子列とが連続する連鎖型端子において、前記折り返し部は、圧延を施して前記長手方向にのびた圧延部分を形成してから折り曲げて形成されることを特徴としている。
【０００７】
このような特徴を有する本発明によれば、折り返し部となる部分の基部に圧延を施してこの基部を長手方向にのばすと、折り返し部の形成後に、第一端子列と第二端子列との間隔、第一端子列の端子と第二端子列の端子とのピッチ、又は折り返し部の高さ寸法が所望の寸法に調整された状態の連鎖型端子になる。
【０００８】
請求項２記載の本発明の連鎖型端子は、請求項１に記載の連鎖型端子において、前記折り返し部は、この基部の幅を狭める折り返し用の切り欠き部を有することを特徴としている。
【０００９】
このような特徴を有する本発明によれば、より一層折り曲げ易くなることから、折り返し部の形成が容易になる。
【００１０】
請求項３記載の本発明の連鎖型端子は、請求項２に記載の連鎖型端子において、前記切り欠き部は、この一部に端子抜け止め部分を有することを特徴としている。
【００１１】
このような特徴を有する本発明によれば、コネクタハウジングに装着すると、切り欠き部の端子抜け止め部分がコネクタハウジングに引っ掛かって連鎖型端子の抜けが防止される。
【発明の効果】
【００１２】
請求項１に記載された本発明によれば、汎用性のある連鎖型端子を提供することができるという効果を奏する。また、本発明によれば、圧延部分によって肉厚が薄くなることから、折り曲げが容易になり、作業性の向上を図ることができるという効果も奏する。
【００１３】
請求項２に記載された本発明によれば、より一層折り曲げを容易にすることができるという効果を奏する。また、請求項３に記載された本発明によれば、折り曲げを容易にするだけでなく、抜け止めとしても機能する切り欠き部を形成することができるという効果を奏する。
【発明を実施するための最良の形態】
【００１４】
以下、図面を参照しながら説明する。図１は本発明の連鎖型端子の一実施の形態を示す図であり、（ａ）はコネクタの正面図、（ｂ）は連鎖型端子の斜視図である。また、図２は連鎖型端子の形成についての図であり、（ａ）は所望の全長となる直線状の連鎖型端子の平面図、（ｂ）は圧延前の状態を示す直線状の連鎖型端子の平面図、（ｃ）は圧延後の直線状の連鎖型端子の平面図である。さらに、図３はコネクタハウジングの正面図、図４は図１のＡ−Ａ線断面図である。
【００１５】
図１において、引用符号１１で示されるコネクタは、例えば、複数の入力側配線をまとめて出力したり、配線を複数の出力に分岐したりするためのものであって、導電性を有する金属製の連鎖型端子１２と、絶縁性を有する合成樹脂製のコネクタハウジング１３とを備えて構成されている。
【００１６】
本形態においては二本の配線を有しており、各配線毎に複数の出力に分岐するようなコネクタ１１になっている。従って、コネクタ１１は、連鎖型端子１２の他に別の連鎖型端子を構成に有している。尚、別の連鎖型端子に関しては後述するものとする。
【００１７】
連鎖型端子１２は、後述するが、直線状の連鎖型端子を所望の位置で折り曲げることにより形成されている。
【００１８】
図１（ｂ）に戻り、連鎖型端子１２は、折り返し部１４と、この折り返し部１４の両端に連続する第一端子列１５及び第二端子列１６とを有している。本発明は、連鎖型端子１２の折り返し部１４に圧延部分１７を形成している点が特徴になっている。本発明は、圧延部分１７を有する折り返し部１４を形成することによって、のびを生じさせた分だけ第一端子列１５と第二端子列１６との端子列間ピッチ（又は第一、第二端子列１５、１６の基部同士の間隔等）を広げることができるようになっている。
【００１９】
連鎖型端子１２は、図中の端子列間ピッチＰ１（一例であるものとする）が所望の寸法になるよう調整がなされた上で折り返し部１４が形成されており、折り返し部１４の形成前の圧延部分１７の形成条件を変えることによって、上記コネクタハウジング１３を含む様々なコネクタハウジングに装着することができるようになっている。
【００２０】
ここで、図２（ａ）〜（ｃ）及び図１（ｂ）を参照しながら連鎖型端子１２の形成（製造）について各工程毎に説明する（工程は一例であるものとする）。
【００２１】
先ず、図２（ａ）に示す如く、長い直線状の連鎖型端子１８から所望の全長となる直線状の連鎖型端子１９を形成する工程を行う。長い直線状の連鎖型端子１８は、所定の肉厚の金属板を打ち抜くことにより形成されている。引用符号２０は基部を示しており、この基部２０は帯状に形成されている。
【００２２】
基部２０の一方の側部には、ピン状の端子２１が複数連成されている（ピン状に限らず、従来例のようなタブ状の端子であっても良いものとする）。複数の端子２１は、基部２０の長手方向に所定ピッチで複数個並ぶように連成されている。基部２０の長手方向両端部には、端子抜け止め部分２２が形成されている。端子抜け止め部分２２は、小さな爪状の形状に形成されている。端子抜け止め部分２２は、連鎖型端子１２をコネクタハウジング１３に装着する際の抵抗にならず、抜け方向に対しては引っ掛かりが生じて脱落が阻止されるような形状に形成されている。
【００２３】
次に、図２（ｂ）に示す如く、基部２０に突起受け部２３と切り欠き部２４とを形成する工程を行うとともに、端子２１を例えば一本だけ除去する工程を行う。
【００２４】
突起受け部２３及び切り欠き部２４は、基部２０の他方の側部に形成されている。突起受け部２３は、コネクタハウジング１３（図１（ａ）参照）に対する位置決め用の部分として形成されている。突起受け部２３は、凹部となるように形成されている。切り欠き部２４は、後に形成される折り返し部１４（図１（ｂ）参照）の位置に合わせて形成されている。切り欠き部２４は、開口部２４ａと、この開口部２４ａの開口幅よりも大きな奥部２４ｂとを有している。
【００２５】
開口部２４ａの両側となる部分は、奥部２４ｂの存在によって突起状の部分として形成されている。この突起状の部分の先端は、端子抜け止め部分２５として機能するように形成されている。端子抜け止め部分２５は、上記端子抜け止め部分２２と同様に、引っ掛かりが生じて脱落が阻止されるような形状に形成されている。
【００２６】
一本だけ除去する端子２１は、後に形成される折り返し部１４の位置のものが対象になっている（引用符号２１ａで示すものとする）。ここでの工程で、対象となる端子２１ａを一本だけ除去すると、この除去された端子２１ａの両側の端子２１ｂは２倍の端子ピッチＰ２で並ぶようになる。尚、端子２１ｂ間の基部２０（２０ａ）は、後の折り返し部１４となる部分として形成されている。
【００２７】
続いて、図２（ｃ）に示す如く、基部２０ａに圧延を施して圧延部分１７を形成する工程を行う。
【００２８】
基部２０ａに圧延を施して圧延部分１７を形成すると、基部２０ａは上記長手方向にΔＰ２だけのびて端子ピッチがＰ２′になる。この端子ピッチＰ２′は、連鎖型端子１２を形成した時に図１（ｂ）に示す端子列間ピッチＰ１が所望の寸法となるような寸法に設定されている。端子ピッチＰ２′は、圧延条件を調節することによって可変するようになっている（端子ピッチＰ２′は、コネクタハウジングの端子装着部に応じて設定されるものとする）。尚、引用符号２６は、基部２０ａに圧延を施して圧延部分１７を形成した直線状の連鎖型端子を示している。
【００２９】
最後に、直線状の連鎖型端子２６における基部２０ａの所望の位置を折り曲げる工程を行う。
【００３０】
この工程によって図１（ｂ）に示すように、折り返し部１４と、この折り返し部１２の両端に連続する第一端子列１５及び第二端子列１６とを有する連鎖型端子１２が形成される。尚、上記折り曲げに関しては、基部２０ａに圧延部分１７を有することから容易に行えるようになっている。
【００３１】
本形態の連鎖型端子１２は、第一端子列１５が２つの端子２１を有している。また、連鎖型端子１２は、第二端子列１６が６つの端子２１を有している。折り返し部１４が形成されると、端子抜け止め部分２５が側方に突出するような連鎖型端子１２になっている。
【００３２】
図１（ａ）において、連鎖型端子１２は、直線状の連鎖型端子２７と共にコネクタハウジング１３に装着されるようになっている。コネクタハウジング１３には、連鎖型端子１２を装着するための装着部２８と、直線状の連鎖型端子２７を装着するための装着部２９とが図３に示す如く形成されている。
【００３３】
図３において、連鎖型端子１２を装着するための装着部２８は、折り返し部対応部分２８ａと、第一端子列対応部分２８ｂと、第二端子列対応部分２８ｃとを有している。第一端子列対応部分２８ｂ及び第二端子列対応部分２８ｃと、直線状の連鎖型端子２７を装着するための装着部２９には、それぞれ微小な圧入突起３０が形成されている。これに対して折り返し部対応部分２８ａには、微小な圧入突起３０がなく、幅Ｗが他よりも若干広くなるように形成されている。折り返し部対応部分２８ａは、連鎖型端子１２の折り返し部１４に対して余裕を持たせるようなスペースを有した状態に形成されている。
【００３４】
図４において、連鎖型端子１２がコネクタハウジング１３の装着部２８に装着されると、連鎖型端子１２の端子抜け止め部分２２、２５が装着部２８の壁に引っ掛かって脱落が阻止されるようになっている。また、連鎖型端子１２の突起受け部２３が装着部２８の左右ピッチ抑制突起３１に差し込まれて位置決めがなされるようになっている。連鎖型端子１２は、上下方向、左右方向に位置ズレすることなく装着部２８に装着されるようになっている。
【００３５】
以上、図１ないし図４を参照しながら説明してきたように、本発明によれば汎用性のある連鎖型端子１２を提供することができるという効果を奏する。
【００３６】
この他、本発明は本発明の主旨を変えない範囲で種々変更実施可能なことは勿論である。
【００３７】
尚、上記説明は、端子２１ａを除去するのみで様々なコネクタハウジングに対応することができる例の説明となっている。材料ロスを最小限に抑えた例の説明になっている。
【図面の簡単な説明】
【００３８】
【図１】本発明の連鎖型端子の一実施の形態を示す図であり、（ａ）はコネクタの正面図、（ｂ）は連鎖型端子の斜視図である。
【図２】連鎖型端子の形成についての図であり、（ａ）は所望の全長となる直線状の連鎖型端子の平面図、（ｂ）は圧延前の状態を示す直線状の連鎖型端子の平面図、（ｃ）は圧延後の直線状の連鎖型端子の平面図である。
【図３】コネクタハウジングの正面図である。
【図４】図１のＡ−Ａ線断面図である。
【図５】従来例の連鎖型端子の図であり、（ａ）は直線状の連鎖型端子の斜視図、（ｂ）は略Ｕ字状に折り返した状態の連鎖型端子の斜視図である。
【符号の説明】
【００３９】
１１  コネクタ
１２  連鎖型端子
１３  コネクタハウジング
１４  折り返し部
１５  第一端子列
１６  第二端子列
１７  圧延部分
１８  長い直線状の連鎖型端子
１９  直線状の連鎖型端子
２０  基部
２１  端子
２２  端子抜け止め部分
２３  突起受け部
２４  切り欠き部
２５  端子抜け止め部分
２６  直線状の連鎖型端子
２８、２９  装着部
３１  左右ピッチ抑制突起
【図１】
2009043630.tif 000003
【図２】
2009043630.tif 000004
【図３】
2009043630.tif 000005
【図４】
2009043630.tif 000006
【図５】
2009043630.tif 000007